(57)【特許請求の範囲】
【請求項１】
ボウルと、該ボウルへ洗浄水を供給し該ボウル内を洗浄する便器洗浄部と、便蓋と、該便蓋の開閉を検知する便蓋開閉検知部と、前記便蓋を開閉する便蓋駆動部と、前記便器洗浄部に対する洗浄指示を出力する洗浄指示手段と、制御部と、を備えた洋風便器装置であって、
便座と、該便座の開閉を検知する便座開閉検知部と、前記便座を開閉する便座駆動部と、をさらに備えており、
前記洗浄指示手段から洗浄指示があったとき、その後、前記便蓋開閉検知部により前記便蓋が閉状態であると判断された場合に前記便器洗浄部による洗浄が開始される構成とされており、
前記制御部は、
前記洗浄指示手段から洗浄指示があったとき、前記便蓋開閉検知部により前記便蓋が開状態であると判断された場合に、前記便蓋駆動部を制御して前記便蓋の閉動作を開始し、前記便蓋の閉動作中に便蓋閉キャンセル指令があった場合には、前記便蓋駆動部を制御して前記便蓋の閉動作を停止させ、
前記洗浄指示手段から洗浄指示があったとき、前記便座開閉検知部により前記便座が開状態であると判断された場合に、前記便座駆動部を制御して前記便座の閉動作を開始し、前記便座の閉動作中に、便座閉キャンセル指令があった場合には、前記便座駆動部を制御して前記便座の閉動作を停止させる一方、前記便座の閉動作中に、前記便座閉キャンセル指令がなかった場合には、前記便蓋駆動部を制御して前記便蓋の閉動作を開始させることを特徴とする洋風便器装置。
【請求項２】
請求項１において、
前記制御部は、前記便蓋閉キャンセル指令により前記便蓋の閉動作を停止させた後に、前記洗浄指示手段からの洗浄指示を無効にすることを特徴とする洋風便器装置。
【請求項３】
請求項１において、
前記制御部は、前記便座閉キャンセル指令により前記便座の閉動作を停止させた後に、前記洗浄指示手段からの洗浄指示を無効にすることを特徴とする洋風便器装置。
【請求項４】
請求項１において、
前記制御部は、前記便蓋閉キャンセル指令により前記便蓋の閉動作を停止させた後に、前記便器洗浄部を制御して洗浄を開始させることを特徴とする洋風便器装置。
【請求項５】
請求項１において、
前記制御部は、前記便座閉キャンセル指令により前記便座の閉動作を停止させた後に、前記便器洗浄部を制御して洗浄を開始させることを特徴とする洋風便器装置。
【請求項６】
ボウルと、該ボウルへ洗浄水を供給し該ボウル内を洗浄する便器洗浄部と、便蓋と、該便蓋の開閉を検知する便蓋開閉検知部と、前記便蓋を開閉する便蓋駆動部と、前記便器洗浄部に対する洗浄指示を出力する洗浄指示手段と、制御部と、を備えた洋風便器装置であって、
前記洗浄指示手段から洗浄指示があったとき、その後、前記便蓋開閉検知部により前記便蓋が閉状態であると判断された場合に前記便器洗浄部による洗浄が開始される構成とされており、
前記制御部は、
前記洗浄指示手段から洗浄指示があったとき、前記便蓋開閉検知部により前記便蓋が開状態であると判断された場合に、前記便蓋駆動部を制御して前記便蓋の閉動作を開始し、前記便蓋の閉動作中に便蓋閉キャンセル指令があった場合には、前記便蓋駆動部を制御して前記便蓋の閉動作を停止させ、前記便蓋の閉動作を停止させた後に、前記便器洗浄部を制御して洗浄を開始させることを特徴とする洋風便器装置。
【請求項７】
便座と、便蓋と、該便蓋の開閉を検知する便蓋開閉検知部と、前記便蓋を開閉する便蓋駆動部と、洋風便器本体に対する洗浄指示を受け付けるボウル洗浄操作部と、便座側制御部と、を備え、前記洋風便器本体に取りつけられる便座装置であって、
前記便座の開閉を検知する便座開閉検知部と、前記便座を開閉する便座駆動部と、をさらに備えており、
前記ボウル洗浄操作部から洗浄指示があったとき、その後、前記便蓋開閉検知部により前記便蓋が閉状態であると判断された場合に前記洋風便器本体に洗浄指示を出力する構成とされており、
前記便座側制御部は、
前記ボウル洗浄操作部から洗浄指示があったとき、前記便蓋開閉検知部により前記便蓋が開状態であると判断された場合に、前記便蓋駆動部を制御して前記便蓋の閉動作を開始し、前記便蓋の閉動作中に便蓋閉キャンセル指令があった場合には、前記便蓋駆動部を制御して前記便蓋の閉動作を停止させ、
前記ボウル洗浄操作部から洗浄指示があったとき、前記便座開閉検知部により前記便座が開状態であると判断された場合に、前記便座駆動部を制御して前記便座の閉動作を開始し、前記便座の閉動作中に、便座閉キャンセル指令があった場合には、前記便座駆動部を制御して前記便座の閉動作を停止させる一方、前記便座の閉動作中に、前記便座閉キャンセル指令がなかった場合には、前記便蓋駆動部を制御して前記便蓋の閉動作を開始させることを特徴とする便座装置。
【請求項８】
請求項７において、
前記便座側制御部は、前記便蓋閉キャンセル指令により前記便蓋の閉動作を停止させた後に、前記ボウル洗浄操作部からの洗浄指示を無効にすることを特徴とする便座装置。
【請求項９】
請求項７において、
前記便座側制御部は、前記便座閉キャンセル指令により前記便座の閉動作を停止させた後に、前記ボウル洗浄操作部からの洗浄指示を無効にすることを特徴とする便座装置。
【請求項１０】
請求項７において、
前記便座側制御部は、前記便蓋閉キャンセル指令により前記便蓋の閉動作を停止させた後に、前記洋風便器本体に対し洗浄指示を出力することを特徴とする便座装置。
【請求項１１】
請求項７において、
前記便座側制御部は、前記便座閉キャンセル指令により前記便座の閉動作を停止させた後に、前記洋風便器本体に対し洗浄指示を出力することを特徴とする便座装置。
【請求項１２】
便座と、便蓋と、該便蓋の開閉を検知する便蓋開閉検知部と、前記便蓋を開閉する便蓋駆動部と、洋風便器本体に対する洗浄指示を受け付けるボウル洗浄操作部と、便座側制御部と、を備え、前記洋風便器本体に取りつけられる便座装置であって、
前記ボウル洗浄操作部から洗浄指示があったとき、その後、前記便蓋開閉検知部により前記便蓋が閉状態であると判断された場合に前記洋風便器本体に洗浄指示を出力する構成とされており、
前記便座側制御部は、
前記ボウル洗浄操作部から洗浄指示があったとき、前記便蓋開閉検知部により前記便蓋が開状態であると判断された場合に、前記便蓋駆動部を制御して前記便蓋の閉動作を開始し、前記便蓋の閉動作中に便蓋閉キャンセル指令があった場合には、前記便蓋駆動部を制御して前記便蓋の閉動作を停止させ、前記便蓋の閉動作を停止させた後に、前記洋風便器本体に対し洗浄指示を出力することを特徴とする便座装置。
【請求項１３】
請求項７〜１２のいずれか１項において、
前記洋風便器本体による洗浄指示を受け付けた場合にも、前記ボウル洗浄操作部の洗浄指示による動作と同様の動作が実行されることを特徴とする便座装置。
【発明の詳細な説明】
【技術分野】
【０００１】
本発明は、便蓋を備えた洋風便器装置および洋風便器本体に取り付けて使用される便座装置に関する。
【背景技術】
【０００２】
近時、便器洗浄時における人の排泄物に含まれる汚染物質の拡散防止の観点から、洋風便器装置のボウルに排泄した場合に、汚染物質を含んだ飛沫が便器の外部にまで飛散しないように、便蓋を閉じた状態でボウル内の排泄物を流すことが推奨されている。
【０００３】
このような便蓋が閉じた状態でのボウル洗浄を確実に実施させるために、洗浄操作部などの洗浄指示手段による洗浄指示があったときに、まず便蓋を電動で自動閉止し、その後に便器の洗浄を行うものが提案されている（例えば、特許文献１参照）。特許文献１のものは、着座中でないかぎりは閉動作が実行される。
【先行技術文献】
【特許文献】
【０００４】
【特許文献１】特開２００８−２００１９８号公報
【発明の概要】
【発明が解決しようとする課題】
【０００５】
しかしながら、使用者によっては、あるいは使用態様によっては、着座中だけではなく、その他使用者の種々の事情により、洗浄指示による便蓋の閉動作をさせたくない場合がある。
【０００６】
本発明は、このような事情を考慮して提案されたもので、その目的は、洗浄指示があったときに自動的な便蓋の閉動作を実行する場合、その閉動作を使用者の意思により停止させることができる洋風便器装置および便座装置を提供することにある。
【課題を解決するための手段】
【０００７】
上記目的を達成するために、本発明の洋風便器装置は、ボウルと、該ボウルへ洗浄水を供給し該ボウル内を洗浄する便器洗浄部と、便蓋と、該便蓋の開閉を検知する便蓋開閉検知部と、前記便蓋を開閉する便蓋駆動部と、前記便器洗浄部に対する洗浄指示を出力する洗浄指示手段と、制御部と、を備えた洋風便器装置であって、便座と、該便座の開閉を検知する便座開閉検知部と、前記便座を開閉する便座駆動部と、をさらに備えており、前記洗浄指示手段から洗浄指示があったとき、その後、前記便蓋開閉検知部により前記便蓋が閉状態であると判断された場合に前記便器洗浄部による洗浄が開始される構成とされており、前記制御部は、前記洗浄指示手段から洗浄指示があったとき、前記便蓋開閉検知部により前記便蓋が開状態であると判断された場合に、前記便蓋駆動部を制御して前記便蓋の閉動作を開始し、前記便蓋の閉動作中に便蓋閉キャンセル指令があった場合には、前記便蓋駆動部を制御して前記便蓋の閉動作を停止させ、前記洗浄指示手段から洗浄指示があったとき、前記便座開閉検知部により前記便座が開状態であると判断された場合に、前記便座駆動部を制御して前記便座の閉動作を開始し、前記便座の閉動作中に、便座閉キャンセル指令があった場合には、前記便座駆動部を制御して前記便座の閉動作を停止させる一方、前記便座の閉動作中に、前記便座閉キャンセル指令がなかった場合には、前記便蓋駆動部を制御して前記便蓋の閉動作を開始させることを特徴とする。
また、本発明の他の洋風便器装置は、ボウルと、該ボウルへ洗浄水を供給し該ボウル内を洗浄する便器洗浄部と、便蓋と、該便蓋の開閉を検知する便蓋開閉検知部と、前記便蓋を開閉する便蓋駆動部と、前記便器洗浄部に対する洗浄指示を出力する洗浄指示手段と、制御部と、を備えた洋風便器装置であって、前記洗浄指示手段から洗浄指示があったとき、その後、前記便蓋開閉検知部により前記便蓋が閉状態であると判断された場合に前記便器洗浄部による洗浄が開始される構成とされており、前記制御部は、前記洗浄指示手段から洗浄指示があったとき、前記便蓋開閉検知部により前記便蓋が開状態であると判断された場合に、前記便蓋駆動部を制御して前記便蓋の閉動作を開始し、前記便蓋の閉動作中に便蓋閉キャンセル指令があった場合には、前記便蓋駆動部を制御して前記便蓋の閉動作を停止させ、前記便蓋の閉動作を停止させた後に、前記便器洗浄部を制御して洗浄を開始させることを特徴とする。
【０００８】
本発明の便座装置は、便座と、便蓋と、該便蓋の開閉を検知する便蓋開閉検知部と、前記便蓋を開閉する便蓋駆動部と、洋風便器本体に対する洗浄指示を受け付けるボウル洗浄操作部と、便座側制御部と、を備え、前記洋風便器本体に取りつけられる便座装置であって、前記便座の開閉を検知する便座開閉検知部と、前記便座を開閉する便座駆動部と、をさらに備えており、前記ボウル洗浄操作部から洗浄指示があったとき、その後、前記便蓋開閉検知部により前記便蓋が閉状態であると判断された場合に前記洋風便器本体に洗浄指示を出力する構成とされており、前記便座側制御部は、前記ボウル洗浄操作部から洗浄指示があったとき、前記便蓋開閉検知部により前記便蓋が開状態であると判断された場合に、前記便蓋駆動部を制御して前記便蓋の閉動作を開始し、前記便蓋の閉動作中に便蓋閉キャンセル指令があった場合には、前記便蓋駆動部を制御して前記便蓋の閉動作を停止させ、前記ボウル洗浄操作部から洗浄指示があったとき、前記便座開閉検知部により前記便座が開状態であると判断された場合に、前記便座駆動部を制御して前記便座の閉動作を開始し、前記便座の閉動作中に、便座閉キャンセル指令があった場合には、前記便座駆動部を制御して前記便座の閉動作を停止させる一方、前記便座の閉動作中に、前記便座閉キャンセル指令がなかった場合には、前記便蓋駆動部を制御して前記便蓋の閉動作を開始させることを特徴とする。
また、本発明の他の便座装置は、便座と、便蓋と、該便蓋の開閉を検知する便蓋開閉検知部と、前記便蓋を開閉する便蓋駆動部と、洋風便器本体に対する洗浄指示を受け付けるボウル洗浄操作部と、便座側制御部と、を備え、前記洋風便器本体に取りつけられる便座装置であって、前記ボウル洗浄操作部から洗浄指示があったとき、その後、前記便蓋開閉検知部により前記便蓋が閉状態であると判断された場合に前記洋風便器本体に洗浄指示を出力する構成とされており、前記便座側制御部は、前記ボウル洗浄操作部から洗浄指示があったとき、前記便蓋開閉検知部により前記便蓋が開状態であると判断された場合に、前記便蓋駆動部を制御して前記便蓋の閉動作を開始し、前記便蓋の閉動作中に便蓋閉キャンセル指令があった場合には、前記便蓋駆動部を制御して前記便蓋の閉動作を停止させ、前記便蓋の閉動作を停止させた後に、前記洋風便器本体に対し洗浄指示を出力することを特徴とする。
【発明の効果】
【０００９】
本発明の洋風便器装置および便座装置はそれぞれ上述した構成とされているため、洗浄指示があったときに自動的な便蓋の閉動作を実行する場合、その閉動作を使用者の意思により停止させることができる。
【図面の簡単な説明】
【００１０】
【図１】本発明の一実施形態に係る洋風便器装置の基本ブロック図である。
【図２】（ａ）は同洋風便器装置の内部を模式的に示した模式的側面図、（ｂ）は他例の洋風便器装置の内部を模式的に示した模式的側面図である。
【図３】図１の洋風便器装置の一態様に係る基本動作を示すフローチャートである。
【図４】同洋風便器装置の他の態様に係る基本動作を示すフローチャートである。
【図５】（ａ）は、本発明の他の実施形態に係る洋風便器装置およびそれに用いられる便座装置の基本ブロック図であり、（ｂ）は同洋風便器装置の内部を模式的に示した模式的側面図である。
【発明を実施するための形態】
【００１１】
以下に、本発明の実施の形態について、添付図面を参照しながら説明する。
まず、本実施形態に係る洋風便器装置１の基本構成について記述する。
【００１２】
洋風便器装置１は、ボウル１２と、ボウル１２へ洗浄水を供給しボウル１２内を洗浄する便器洗浄部１３と、便蓋２０と、便蓋２０の開閉を検知する便蓋開閉検知部２１と、便蓋２０を開閉する便蓋駆動部２２と、を備えている。洋風便器装置１はさらに、便器洗浄部１３に対する洗浄指示を出力する洗浄指示手段と、制御部５と、を備えている。この洋風便器装置１は、洗浄指示手段から洗浄指示があったとき、その後、便蓋開閉検知部２１により便蓋２０が閉状態であると判断された場合に便器洗浄部１３による洗浄が開始される構成とされている。
【００１３】
制御部５は、洗浄指示手段から洗浄指示があったとき、便蓋開閉検知部２１により便蓋２０が開状態であると判断された場合に、便蓋駆動部２２を制御して便蓋２０の閉動作を開始する。制御部５は、その便蓋２０の閉動作中に便蓋閉キャンセル指令があった場合には、便蓋駆動部２２を制御して便蓋２０の閉動作を停止させる。なお、「便蓋閉キャンセル指令」の詳細については後述する。
【００１４】
つぎに洋風便器装置１の詳細な構成、構造および動作について説明する。
図１〜図４は、一実施形態に係る洋風便器装置１の説明図である。なお、図２（ａ）（ｂ）は、洗浄方式の２形態を示す洋風便器装置１の内部を模式的に示した模式的側面図であり、これらはいずれも本実施形態に係る洋風便器装置１に適用が可能である。
【００１５】
洋風便器装置１は、トイレ空間内の床や壁などに固定される腰掛式の便器装置である。この洋風便器装置１の便器本体１０は、上方に向けて開口したボウル１２がスカート部１１に囲まれるように内装され、ボウル１２の上側にはボウル１２の開口面に対し起倒自在とした、相互に同一の回転軸とした便座２４、便蓋２０を備えている。
【００１６】
スカート部１１の内部空間には、給水口１４からボウル１２内に洗浄水を供給しボウル１２内を洗浄する便器洗浄部１３が配されている。この便器洗浄部１３は給水機構と排水機構とを有する。
【００１７】
給水機構は、給水口１４と、水道管（不図示）から供給される洗浄水をボウル１２内に給水口１４を通じて供給する洗浄水供給路１５と、洗浄水供給路１５の途中に配されている、ボウル１２への給水を供給または遮断する給水弁１６とを備えている。
【００１８】
図２（ａ）に示した排水機構は、ボウル１２の底部より後方に延びるように接続された筒状の屈曲状のトラップ１７を有し、そのトラップ１７がさらに下方に延び排水口１８に接続されている。この種の排水機構としては、サイホン式やサイホンゼット式、サイホンボルテックス式などがあり、サイホン作用により排水状態または封水状態が形成される機構とされている。
【００１９】
また排水機構としては、図２（ｂ）に示すような可動式のトラップ１７Ａを有した構造であってもよい。このトラップ１７Ａは、駆動部（不図示）によって矢印方向に回動されて排水状態または封水状態を形成する。図例のトラップ１７Ａは封水状態での位置にあり、排水状態ではトラップ１７Ａの開放端が排水口１８に向くように回転動作する。なおトラップ１７Ａはトラップケース（不図示）に囲まれて、汚水や臭気が外部に漏れないようになっている。
【００２０】
また洋風便器装置１には、サイホン式、可動式のいずれでもない排水機構、例えば洗い落とし式の排水機構も適用可能である。
【００２１】
また、図例では、洋風便器装置１を、水洗タンク（ロータンク）を備えていない、水道直結式のタンクレスタイプとした例を示しているが、水洗タンクを備えた構成としてもよい。
【００２２】
また、本実施形態に係る洋風便器装置１は、便器洗浄部１３によるボウル１２の洗浄の終了を検知する洗浄終了検知手段１９を備えている。この洗浄終了検知手段１９としては、洗浄終了の定義にもよるが、洗浄水の給水が終了したことを検知するセンサーや、制御指示によるものなどでもよいし、給水により溜め水が破封レベルを超過したことを検知するセンサーなどでもよい。本実施形態では、洗浄終了検知手段１９は溜め水が破封レベルを超過したことを検知するセンサーとされる。
【００２３】
また洋風便器装置１は、上述したように、また図１にも示すように、便蓋開閉検知部２１と、便蓋駆動部２２とを備え、さらに便蓋駆動部２２に対する開閉指示を受け付ける便蓋操作部２３とを備えている。さらに洋風便器装置１は、便座２４の開閉を検知する便座開閉検知部２５と、便座２４を開閉する便座駆動部２６と、便座駆動部２６に対する開閉指示を受け付ける便座操作部２７とを備え、さらに着座検知部２８も備えている。
【００２４】
着座検知部２８としては、例えば便座２４に内装された、着座／離座を検知する荷重センサーや、便座２４の回転軸部の近傍より着座／離座を検知する赤外線センサーなどが採用される。便蓋開閉検知部２１および便座開閉検知部２５としては、開角度により開閉状態を検知する構成とされたものが採用される。
【００２５】
便蓋駆動部２２および便座駆動部２６は、それぞれモーターなどで構成されている。便蓋駆動部２２は便蓋操作部２３からの指示があった場合などに便蓋２０を電動で開閉し（起倒させ）、便座駆動部２６は便座操作部２７からの指示があった場合などに便座２４を電動で開閉する（起倒させる）。
【００２６】
なお本明細書においては、便蓋２０、便座２４のいずれにおいても、略垂直状に起立した状態を開状態といい、略水平状に倒れ、ボウル１２の開口面に対し略平行とした状態を閉状態という。
【００２７】
本洋風便器装置１では、便蓋２０の閉動作の指示があったときに便蓋２０、便座２４がともに開状態であれば、まず便座２４が閉動作をなし、閉止（閉状態で停止）後に、便座２４の閉動作に連動するように、便蓋２０が閉動作をなす。また、便座２４の開動作の指示があったときに便座２４、便蓋２０がともに閉状態であれば、まず便蓋２０が開動作をなし、開止（開状態で停止）後に、便蓋２０の開動作に連動するように、便座２４が開動作をなす。
【００２８】
洋風便器装置１はさらに、ボウル１２内を脱臭する脱臭装置、便座２４を温める加熱装置、局部を洗浄する局部洗浄装置などの各種機能装置を備えた構成としてもよい。
【００２９】
さらに洋風便器装置１は洗浄操作部２９を備えている。この洗浄操作部２９は、便器洗浄部１３に洗浄の指示を、後述する制御部５を介して便器洗浄部１３に出力する大便用洗浄ボタン２９ａおよび小便用洗浄ボタン２９ｂを備えている。
【００３０】
なお、洗浄操作部２９は本体操作部（不図示）、リモコン（不図示）のいずれにも配されていることが望ましい。これらには、各種の操作や設定などができる操作スイッチや操作ボタンなども設けてある。リモコンとしては赤外線通信のものが好適に用いられる。リモコンには送信部（不図示）、便器本体１０には受信部（不図示）が設けてあることはいうまでもない。
【００３１】
洗浄操作部２９の操作は洗浄指示手段として作用するが、さらに、着座検知部２８により検知された、着座中から離座への状態変化も洗浄指示手段として作用する。つまり、着座中のときに便座２４から立ち上がった際には、洗浄ボタンの操作に代えて自動洗浄がなされる。
【００３２】
また、大便用洗浄ボタン２９ａおよび小便用洗浄ボタン２９ｂの両方を設けずに、１つの洗浄ボタンで洗浄指示を出力する構成としてもよい。つまり、その場合のボウル１２への洗浄水の水量としては、大便用大容量、小便用小容量の区別がなく、大便用大容量の１種類のみとされる。
【００３３】
洋風便器装置１は、前記制御対象（便器洗浄部１３の給水弁１６や便蓋駆動部２２、便座駆動部２６など）を制御する一方、洗浄操作部２９や便蓋開閉検知部２１、便座開閉検知部２５、着座検知部２８などの出力信号を受ける制御部５を備えている。この制御部５はＣＰＵやＭＰＵなどのプロセッサおよび種々のプログラムを含んで構成される。洋風便器装置１はさらに、電源部（不図示）およびタイマー（不図示）を備えている。
【００３４】
また、本実施形態に係る洋風便器装置１は、装置の異常や状態、ガイダンスを音や音声合成で報知するスピーカなどで構成された報知部を備えてもよい。なお報知部としては、音出力のものに代えてあるいは加えて、ＬＥＤなどのディスプレイを備えた構成としてもよい。
【００３５】
ついで、この洋風便器装置１の基本動作について、図３および図４のフローチャートにもとづいて説明する。これらの動作はいずれも、洗浄指示手段により洗浄指示があったときの制御部５による動作である。洋風便器装置１は、洗浄指示があったときに図３、図４のいずれかの動作が実行されればよく、またはいずれかの動作が実行されるように設定で変更できるようにしてもよい。また、本洋風便器装置１は、着座中に洗浄操作部２９により洗浄指示があった場合は、その洗浄指示は受け付けない。
【００３６】
以下の動作説明においては、便蓋２０の開閉状態の検知や便座２４の開閉状態の検知は各検知部によるものであるが、それらの検知部の動作の説明については省略する。また、便蓋２０の開閉動作や便座２４の開閉動作は各駆動部によるものであるが、それらの駆動部の動作の説明については記述を省略する。
【００３７】
まず、図３の動作について、ステップＳ１０１〜Ｓ１１８で示されるフローチャートに沿って説明する。なお以下の説明では、図３および図４の動作ステップについて、「ステップＳ×××」と記述するところを、「Ｓ×××」と略記した。
【００３８】
洗浄指示を受けたときに便蓋２０が開状態でなければ（閉状態であれば）、その後すぐにボウル１２の洗浄が実行される（Ｓ１０１のＮ、Ｓ１０９）。洗浄終了後には便蓋２０は開動作し、開状態となってから一定時間後に、開状態となった便蓋２０は閉動作して、閉止して待機状態（便蓋２０が閉じた状態）となる（Ｓ１１０〜Ｓ１１２）。
【００３９】
この洗浄後の便蓋２０の開動作は、洗浄後のボウル１２内に汚物の残存を使用者が確認するために実行される動作である。つまり使用者は、洗浄後にボウル１２内の確認のために手動で便蓋２０を開く必要はない。
【００４０】
なお、上記一定時間のディレイに代えて、人感センサーにより人が検知されなくなったタイミングで待機状態に戻してもよい。もちろん、使用者が便蓋操作部２３で便蓋２０を閉動作させることができるので、自動で待機状態に戻さなくてもよい。
【００４１】
洗浄指示を受けたときに便蓋２０が開状態であり、便座２４も開状態であれば、まず便座２４の閉動作が開始される（Ｓ１０１のＹ、Ｓ１０２のＹ、Ｓ１０３）。この閉動作中（便座２４が閉止するまでの間）に便座閉キャンセル指令（図中、「便座キャンセル」と略記）があれば、便座２４の閉動作が途中で停止する（Ｓ１０４、Ｓ１０５のＮ、Ｓ１０４のＹ、Ｓ１１３）。そして、いったん停止した便座２４は開動作が開始され、開状態となる（Ｓ１１４）。
【００４２】
便座閉キャンセル指令とは、便座２４が閉動作中にその動作を手指などで制止することにより便座２４の閉方向のトルクに対する反方向の力が作用した場合や、便座操作部２７による開指示があった場合に制御部５が受けた、便座２４に対する停止指令である。なお、制止による便座２４の閉方向のトルクに対する反方向の力の作用は、便座開閉検知部２５により検知が可能とされるが、便座２４の軸に設けた他のセンサーで検知できるようにしてもよい。
【００４３】
このようにして、便座２４は便座閉キャンセル指令により最終的に開状態となる。そして洗浄指示はキャンセルされる（無効になる）（Ｓ１１５）。つまり、排便、排尿が終了し、洗浄指示が受け付けられたにもかかわらず、その後の使用者の意思により、洗浄が開始されることなく洗浄が中止される。
【００４４】
また、便座２４が閉止するまでの閉動作中に便座閉キャンセル指令がなかった場合には、便蓋２０の閉動作が開始される（Ｓ１０４のＮ、Ｓ１０５のＹ、Ｓ１０６）。この閉動作中（便蓋２０が閉止するまでの間）に便蓋閉キャンセル指令（図中、「便蓋キャンセル」と略記）があれば、便蓋２０の閉動作が途中で停止する（Ｓ１０７、Ｓ１０８のＮ、Ｓ１０７のＹ、Ｓ１１６）。いったん停止した便蓋２０は開動作が開始され、開状態となる（Ｓ１１７）。
【００４５】
便蓋閉キャンセル指令とは、便蓋２０が閉動作中にその動作を手指などで制止することにより便蓋２０の閉方向のトルクに対する反方向の力が作用した場合や、便蓋操作部２３による開指示があった場合に制御部５が受けた、便蓋２０に対する停止指令である。なお、制止による便蓋２０の閉方向のトルクに対する反方向の力の作用は、便蓋開閉検知部２１により検知が可能とされるが、軸に設けた他のセンサーで検知できるようにしてもよい。また、便蓋閉キャンセル指令には、便座操作部２７の開指示を含めてもよい。
【００４６】
このように便蓋２０が便蓋閉キャンセル指令により最終的に開状態となる。そして洗浄指示はキャンセルされる（無効になる）（Ｓ１１８）。つまり、排便、排尿が終了し、使用者により洗浄指示がなされているにもかかわらず、その後の使用者の意思により、洗浄が開始されることなく洗浄が中止される。
【００４７】
また、洗浄指示を受けたときに便蓋２０が開状態であり、便座２４が閉状態であれば、便蓋２０の閉動作が開始される（Ｓ１０１のＹ、Ｓ１０２のＮ、Ｓ１０６）。この閉動作中（便蓋２０が閉止するまでの間）に便蓋閉キャンセル指令（図中、「便蓋キャンセル」と略記）があれば、便蓋２０の閉動作が停止する（Ｓ１０７、Ｓ１０８のＮ、Ｓ１０７のＹ、Ｓ１１６）。いったん停止した便蓋２０は開動作が開始し、開状態となる（Ｓ１１８）。そして洗浄指示はキャンセルされる（Ｓ１１８）。
【００４８】
便蓋２０の閉動作中に便蓋閉キャンセル指令がなかった場合には、洗浄が実行される（Ｓ１０７のＮ、Ｓ１０８のＹ、Ｓ１０９）。洗浄終了後に便蓋２０は開動作し、一定時間後に、いったん開状態となった便蓋２０は閉動作して、閉止して待機状態となる（Ｓ１１０〜Ｓ１１２）。
【００４９】
以上のように本洋風便器装置１は、洗浄指示があれば、便蓋２０の閉止を待って（便蓋２０が閉状態であればその後すぐに、便蓋２０は開状態であれば閉動作して閉止した後に）、洗浄が開始することを原則としている。しかし、便座２４や便蓋２０の閉動作中にキャンセル指令があった場合には、便座２４、便蓋２０が開いた状態となって、洗浄は開始されず、洗浄がキャンセルされる。
【００５０】
このように、洗浄指示があっても使用者の意思で洗浄をキャンセルする（洗浄指示を無効にする）ことができる。そして、使用者は、便蓋２０や便座２４が開状態となったボウル１２内を上方より視認して、便の状態などを確認することができる。なお、便座２４や便蓋２０の停止（Ｓ１１３、Ｓ１１６）後、自動で開状態にせずに、そのままの状態で、あるいは使用者が手動でそれらを開いた状態で、ボウル１２内を視認するようにしてもよい。
【００５１】
洗浄が無効となった後に洗浄を実施したい場合には、使用者が再度、洗浄操作部２９の操作で洗浄指示をすればよい。そして、使用者は便座２４や便蓋２０の閉動作中にキャンセル指令を出すことなく、便蓋２０を閉止させてボウル１２の洗浄を実施すればよい。
【００５２】
本洋風便器装置１は、便座２４に関する便座開閉検知部２５、便座駆動部２６、便座操作部２７を備えているが、それらを有しない構成であってもよい。その場合には、洗浄指示があったときに便蓋２０の開閉状態のみを検知し、開状態であれば便蓋２０の閉動作を開始し、閉状態であれば洗浄を行う構成であればよい。つまり、図３のフローチャートにおいて、Ｓ１０２〜Ｓ１０５、Ｓ１１３〜Ｓ１１５を含まないような一連の動作が実行される。
【００５３】
ついで、図４の動作について説明する。この図の動作において、Ｓ２０１〜Ｓ２１２は図３のＳ１０１〜Ｓ１１２と同じであるため、それらの説明を割愛する。一方、便座閉キャンセル指令、便蓋閉キャンセル指令があったときの動作が図３のものと異なるため、その動作についてのみ説明する。
【００５４】
便座閉キャンセル指令があったときには、便座２４が停止し、開動作に転じ、開状態となる（Ｓ２０４のＹ、Ｓ２１３、Ｓ２１４）。便座２４の開状態において洗浄が実施され、洗浄が終了してから所定時間後に、便座２４が閉じ、ついで便蓋２０も閉じる（Ｓ２１５〜Ｓ２１８）。
【００５５】
また、便蓋閉キャンセル指令があったときには、便蓋２０は停止し、開動作に転じ、開状態となる（Ｓ２０７のＹ、Ｓ２１９、Ｓ２２０）。便蓋２０の開状態において洗浄が実施され、洗浄が終了してから所定時間後に、便蓋２０が閉じる（Ｓ２２１〜Ｓ２２３）。
【００５６】
ようするに、図４の動作の場合には、便蓋２０が閉じた状態での洗浄という原則に反し、例外的にボウル１２内が露出された状態での洗浄がなされる。例えば、小便の場合のように洗浄に際して便蓋２０の閉状態を必須の条件にしないような場合に、使用者の意思で、このような便蓋２０が開状態での洗浄がなされるようにすればよい。なお、便座２４、便蓋２０は開状態になることなく停止状態で洗浄がなされるようにしてもよい。
【００５７】
大便用洗浄ボタン２９ａと小便用洗浄ボタン２９ｂとにより、大便用の洗浄指示と小便用の洗浄指示とを区別して受け付けるようにして、大便用の洗浄の場合は図３の動作を実行し、小便用の場合は図４の動作を実行するようにしてもよい。
【００５８】
なお、洗浄指示があった際の動作の態様としては、図３や図４の動作には限らない。例えば、図４のステップＳ２１５、Ｓ２２１の洗浄の前に、使用者によるボウル１２内の確認のためのディレイ時間を設けてもよいし、さらにその後に便蓋２０の閉動作を実施してもよい。このタイミングで便蓋２０が閉止されれば、原則どおりに便蓋２０が閉状態での洗浄を実施することができる。また、洗浄後に待機状態に戻らないような動作にしてもよい。
【００５９】
図３および図４において、洗浄終了後の便蓋２０の開動作は、汚染物質の拡散防止の観点から、汚染物質を含む水分等が飛散しないような状況であればよい。そのため、洗浄終了検知手段１９による洗浄終了の検知は、給水弁１６の停止や給水口１４からの給水の終了により判断しなくてもよく、本洋風便器装置１では、洗浄の際に溜め水が破封レベルを超過したタイミングを洗浄終了検知手段１９（センサー）で検知する構成としている。
【００６０】
以上のように本洋風便器装置１の動作は種々の動作であってもよく、少なくとも、便蓋閉キャンセル指令で便蓋２０が停止し、便座閉キャンセル指令で便座２４が停止する動作が実行されるものであればよい。
【００６１】
洋風便器装置１は、便座２４と便蓋２０とが一体として取り替え可能なものであってもよい。特に図５に示すような便座装置３０が後付けされた（あるいは取り替えられた）洋風便器装置３であってもよい。図５（ａ）（ｂ）にもとづいて、本発明の他の実施形態に係る洋風便器装置３の基本構成について説明する。なお本実施形態では、図５（ｂ）に洋風便器本体がサイホン式のものを例示したが、可動式のトラップ１７Ａ（図２（ｂ）参照）を有したものや、その他の方式のものにも適用は可能である。
【００６２】
具体的には洋風便器装置３は、ボウル１２と、ボウル１２へ洗浄水を供給しボウル１２内を洗浄する便器洗浄部１３と、便座装置３０と、便器洗浄部１３に対し洗浄の指示を出力する洗浄操作部２９と、を備えている。
【００６３】
便座装置３０は、洋風便器装置３の本体（便座装置３０を除く部位）とは着脱可能な別体とされている。便座装置３０は、便蓋４０、便蓋開閉検知部４１、便蓋駆動部４２、便蓋操作部４３、便座４４、便座開閉検知部４５、便座駆動部４６、便座操作部４７、着座検知部４８を備えている。
【００６４】
なお、便座装置３０を除く洋風便器装置３（洋風便器本体）の構成は図１のものとおおむね同様であるため、詳細な説明は省略する。また、便座装置３０が備える、便蓋４０、便蓋開閉検知部４１、便蓋駆動部４２、便蓋操作部４３、便座４４、便座開閉検知部４５、便座駆動部４６、便座操作部４７、着座検知部４８についても図１のものとおおむね同様であり、その説明を省略する。
【００６５】
図５の洋風便器装置３は、ボウル洗浄操作部４９をさらに備えており、便座装置３０側より便器洗浄部１３に対しボウル１２の洗浄指示が出力できる構成とされている。具体的には、便座装置３０は便座側制御部３５を備え、ボウル洗浄操作部４９より洗浄の指示があったときに、便座側制御部３５がこれを受けて、本体側の制御部５を通じて、便器洗浄部１３を制御してボウル１２の洗浄ができるようになっている。また、便座側制御部３５が直接、便器洗浄部１３を制御する構成としてもよい。
【００６６】
なお、図５に示すように、洋風便器装置３は便座装置３０側のボウル洗浄操作部４９だけではなく、本体側の洗浄操作部２９をも含んだ構成とされている。つまり、図５のものは、洗浄操作部２９、ボウル洗浄操作部４９のいずれでも洗浄指示ができる構成とされている。また、本体側に洗浄操作部２９を設けずに、ボウル洗浄操作部４９でのみ洗浄指示ができる構成であってもよい。なお、ボウル洗浄操作部４９も大便用洗浄ボタンと小便用洗浄ボタンとを有することが望ましい。
【００６７】
この洋風便器装置３も、図１の洋風便器装置１と同様、図３および図４などの動作が可能とされる。
【００６８】
ようするに、便器洗浄部１３は、ボウル洗浄操作部４９から洗浄の指示があったときには、原則としては、便蓋４０を閉じた状態でボウル１２の洗浄がなされる。そして、便蓋閉キャンセル指令で便蓋４０が停止し、便座閉キャンセル指令で便座４４が停止する動作が実行される。
【００６９】
以上のように、本便座装置３０は、便座４４と、便蓋４０と、便蓋４０の開閉を検知する便蓋開閉検知部４１と、便蓋４０を開閉する便蓋駆動部４２と、を備えている。また便座装置３０は、洋風便器本体に対する洗浄指示を受け付けるボウル洗浄操作部４９と、便座側制御部３５と、を備えた、洋風便器本体に取り付けられる装置である。そして便座装置３０は、ボウル洗浄操作部４９から洗浄指示があったとき、その後、便蓋開閉検知部４１により便蓋４０が閉状態であると判断された場合に洋風便器本体に洗浄指示を出力する構成とされている。
【００７０】
この便座側制御部３５は、ボウル洗浄操作部４９から洗浄指示があったとき、便蓋開閉検知部４１により便蓋４０が開状態であると判断された場合に、便蓋駆動部４２を制御して便蓋４０の閉動作を開始する。便座側制御部３５は、便蓋４０の閉動作中に便蓋閉キャンセル指令があった場合には、便蓋駆動部４２を制御して便蓋４０の閉動作を停止させる。
【００７１】
本実施形態に係る便座装置３０はさらに、便座開閉検知部４５、便座駆動部４６、便座操作部４７も備えており、図１のものと同様、便座閉キャンセル指令で、閉動作中の便座４４を停止できるようにもなっている。
【００７２】
また、便座装置３０は、洋風便器本体の洗浄操作部２９による洗浄指示を受け付けた場合にも、ボウル洗浄操作部４９の洗浄指示による動作と同様の動作が実行されるようにしてもよい。
【００７３】
なお、便座装置３０としては図５のものには限らない。便座装置３０としては例えば、局部洗浄装置や便座側報知部を備えた構成であってもよいし、種々（例えば局部洗浄装置）の操作や設定ができる便座側操作部を有する構成であってもよい。
【符号の説明】
【００７４】
１、３      洋風便器装置
５          制御部
１２        ボウル
１３        便器洗浄部
２０        便蓋
２１        便蓋開閉検知部
２２        便蓋駆動部
２３        便蓋操作部
２４        便座
２５        便座開閉検知部
２６        便座駆動部
２７        便座操作部
２８        着座検知部
２９        洗浄操作部
３０        便座装置
３５        便座側制御部
４０        便蓋
４１        便蓋開閉検知部
４２        便蓋駆動部
４３        便蓋操作部
４４        便座
４５        便座開閉検知部
４６        便座駆動部
４７        便座操作部
４８        着座検知部
４９        ボウル洗浄操作部
【要約】
【課題】洗浄指示があったときに自動的な便蓋の閉動作を実行する場合、その閉動作を停止させることができる洋風便器装置および便座装置を提供する。
【解決手段】洋風便器装置１は、洗浄指示手段から洗浄指示があったとき、その後、便蓋開閉検知部２１により便蓋２０が閉状態であると判断された場合に便器洗浄部１３による洗浄が開始される構成とされ、制御部５は、洗浄指示手段から洗浄指示があったとき、便蓋開閉検知部２１により便蓋２０が開状態であると判断された場合に、便蓋駆動部２２を制御して便蓋２０の閉動作を開始し、便蓋２０の閉動作中に便蓋閉キャンセル指令があった場合には、便蓋駆動部２２を制御して便蓋２０の閉動作を停止させる。
【選択図】図１【図１】
0006868839.tif 000002
【図２】
0006868839.tif 000003
【図３】
0006868839.tif 000004
【図４】
0006868839.tif 000005
【図５】
0006868839.tif 000006